(57)【要約】【課題】  ハイブリッド車両に貯蔵された燃料が劣化するまでに計画的に消費し、劣化により燃料を無駄にすることを抑制するハイブリッド車両の制御装置を提供すること。【解決手段】  制御装置３０は、燃料タンク２０に貯蔵されている燃料の劣化する時期を、ハイブリッド車両１０の周辺温度に基づいて予測する。そして、装置３０は、予測した劣化時期までに消費されない燃料が存在する場合には、エンジン１１の利用比率を大きくするために、今後予定されている車両１０の走行ではモータジェネレータ１４の駆動力のみの走行モードからエンジン１１の駆動力を利用する走行モードに切り替えるようにエンジン１１を利用する計画を決定する。又、車両１０の走行が予定されていないときには、エンジン１１の駆動力によってモータジェネレータ１３を駆動させて、劣化するであろう燃料を消費して電力に変換する。【選択図】  図１
2014091467.tif 000002
【特許請求の範囲】
【請求項１】
蓄電装置に蓄電された電力を利用したモータによる駆動力と燃料タンクに貯蔵された燃料を利用したエンジンによる駆動力とによって走行するハイブリッド車両に適用されて、前記モータ及び前記エンジンの作動を統括的に制御する制御手段を備えたハイブリッド車両の制御装置において、
前記制御手段は、
前記燃料タンクに貯蔵された燃料が劣化する時期までに前記エンジンによって消費されることなく劣化するであろう燃料の量を表す劣化量を予測し、
前記劣化量が存在するとき、前記燃料が劣化する時期までに予定される前記ハイブリッド車両の走行に際して、前記ハイブリッド車両を走行させる駆動力における前記モータの駆動力に対する前記エンジンの駆動力の比を表す前記エンジンの利用比率を、少なくとも前記劣化量が存在しないときよりも大きくすることを特徴とするハイブリッド車両の制御装置。
【請求項２】
請求項１に記載したハイブリッド車両の制御装置において、
前記制御手段は、
前記ハイブリッド車両の利用状況に応じて変化する前記エンジンによって消費される燃料の量を表す消費量を用いて、前記劣化量を予測することを特徴とするハイブリッド車両の制御装置。
【請求項３】
請求項１又は請求項２に記載したハイブリッド車両の制御装置において、
前記制御手段は、
前記劣化量が存在するとき、前記燃料が劣化する時期までに前記ハイブリッド車両が走行する走行予定に合わせて、前記エンジンの利用比率が大きくなるように前記エンジンを利用する計画を決定することを特徴とするハイブリッド車両の制御装置。
【請求項４】
請求項３に記載したハイブリッド車両の制御装置において、
前記制御手段は、
前記劣化量が存在するとき、前記燃料が劣化する時期までに前記ハイブリッド車両が走行する走行予定に合わせて、前記エンジンの利用比率が大きくなるように前記エンジンを利用する時期又は期間を決定することを特徴とするハイブリッド車両の制御装置。
【請求項５】
請求項１ないし請求項４のうちのいずれか一つに記載したハイブリッド車両の制御装置において、
前記制御手段は、少なくとも、
前記燃料タンクの搭載された前記ハイブリッド車両の周辺環境に関連して検出される物理量を用いて、前記燃料タンクに貯蔵された燃料が劣化する時期を予測することを特徴とするハイブリッド車両の制御装置。
【請求項６】
請求項１ないし請求項５のうちのいずれか一つに記載したハイブリッド車両の制御装置において、
前記制御手段は、
前記ハイブリッド車両が過去に走行した走行履歴及び前記ハイブリッド車両を利用する予定のうちの少なくとも一方に基づいて、前記燃料が劣化する時期までに前記ハイブリッド車両が走行する走行予定を決定することを特徴とするハイブリッド車両の制御装置。
【請求項７】
請求項１ないし請求項６のうちのいずれか一つに記載したハイブリッド車両の制御装置において、
前記制御手段は、
前記劣化量が存在するとき、前記モータの駆動力のみを利用して前記ハイブリッド車両を走行させる走行モードから、前記モータの駆動力及び前記エンジンの駆動力を利用して前記ハイブリッド車両を走行させる走行モード、又は、前記エンジンの駆動力のみを利用して前記ハイブリッド車両を走行させる走行モードに切り替えることを特徴とするハイブリッド車両の制御装置。
【請求項８】
請求項１ないし請求項７のうちのいずれか一つに記載したハイブリッド車両の制御装置において、
前記制御手段は、
前記劣化量が存在し、前記燃料が劣化する時期までに前記ハイブリッド車両の走行が予定されないときは、前記エンジンの駆動力により前記モータを駆動させて電力を発電させ、この発電された電力を前記蓄電装置に充電することを特徴とするハイブリッド車両の制御装置。
【請求項９】
請求項８に記載したハイブリッド車両の制御装置において、
前記制御手段は、
前記蓄電装置が所定の充電量以上に充電されているときには、
前記エンジンの駆動力により前記モータを駆動させて発電させた電力を前記ハイブリッド車両の外部に供給することを特徴とするハイブリッド車両の制御装置。
【請求項１０】
請求項９に記載したハイブリッド車両の制御装置において、
前記制御手段は、
前記発電させた電力を、前記ハイブリッド車両を駐車している家屋に供給することを特徴とするハイブリッド車両の制御装置。
【発明の詳細な説明】
【技術分野】
【０００１】
本発明は、電力を利用したモータによる駆動力と燃料を利用したエンジンによる駆動力とによって走行するハイブリッド車両の制御装置に関する。
【背景技術】
【０００２】
従来から、例えば、下記特許文献１に示されているような車両制御装置は知られている。この従来の車両制御装置は、モータとエンジンとを動力として走行する車両において、エンジンが使用する燃料を収容する燃料タンクに搭載されて燃料の劣化度を検出する劣化度検出センサと、劣化度検出センサの検出結果に応じてモータとエンジンの利用比率を制御する制御部とを備えるようになっている。これにより、燃料の劣化度が高くなるほどモータの利用比率を高めることができて、燃料の劣化に伴ってエンジンを傷めてしまうことを抑制するようになっている。
【０００３】
又、従来から、例えば、下記特許文献２に示されているようなハイブリッド車両制御装置、ハイブリッド制御方法も知られている。この従来のハイブリッド車両制御装置及び制御方法は、自車両の内燃機関の使用状況を示す情報を取得し、この使用状況を示す情報に基づいて、内燃機関が予め決められた所定の間未使用であるか否かを判定し、内燃機関が所定の間未使用であると判定されないときには電動機を使用して自車両を走行させ、内燃機関が所定の間未使用であると判定されるときには内燃機関を使用して自車両を走行させるようになっている。又、内燃機関が所定の間未使用であると判定されるときにはユーザに燃料の入れ替えを促すように報知するようにもなっている。これにより、燃料や内燃機関が劣化することを抑制するようになっている。
【０００４】
又、従来から、例えば、下記特許文献３に示されているようなハイブリッド車両も知られている。このハイブリッド車両は、車両の外部から充電可能なバッテリの充電状態に応じてエンジンの運転及び停止を決定する制御装置を備えており、この制御装置が燃料タンク内の燃料の劣化を検出すると、燃料が劣化した旨を乗員に報知したり、劣化した燃料をエンジンに送らずに燃料タンクから排出したりするようになっている。
【０００５】
更に、従来から、例えば、下記特許文献４に示されているような制御装置及び制御方法も知られている。この従来の制御装置は、内燃機関と電動機を駆動源として車両を走行制御するものであり、制御に関する情報を記憶する記憶部と、過去の所定期間ごとの燃料消費量と車両の稼働情報を記憶部に記憶する履歴情報記憶処理と、記憶部に記憶された過去の所定期間ごとの燃料消費量又は車両の稼働情報に基づいて所定の燃料消費期間で消費可能な適性燃料供給量を算出する適正燃料供給量算出処理と、適正燃料供給量算出処理により算出された燃料供給量に関する情報を外部へ出力する出力処理とを実行する制御部とを備えるようになっている。これにより、燃料が劣化しない所定の燃料消費期間で消費可能な適正な燃料供給量（燃料補給量）を算出して提示するようになっている。
【先行技術文献】
【特許文献】
【０００６】
【特許文献１】特開２０１０−２２１８０２号公報
【特許文献２】特開２００８−１４９９７２号公報
【特許文献３】特開２００８−３０２７７２号公報
【特許文献４】特開２０１０−２４２６９２号公報
【発明の概要】
【０００７】
上記特許文献１〜３に示された従来の装置やハイブリッド車両では、劣化した燃料が内燃機関（エンジン）に供給されないようになっている。すなわち、これら従来の装置やハイブリッド車両では、劣化した燃料が発生することを前提としており、劣化した燃料は使用できないために燃料（燃料費）が無駄になる場合がある。一方、上記特許文献４に示された従来の装置及び方法では、劣化した燃料が生じないように、燃料消費期間内に燃料が消費できる程度の適正な燃料補給量を提示するようになっている。しかしながら、このように過去の実績に基づいて適正な燃料補給量を給油した場合であっても、実際の車両の稼働状態が実績と異なることによって劣化した燃料が生じる可能性がある。この場合にも、燃料（燃料費）が無駄になる可能性がある。
【０００８】
本発明は、上記した問題に対処するためになされたものであり、その目的の一つは、ハイブリッド車両に貯蔵された燃料が劣化するまでに計画的に消費し、劣化により燃料を無駄にすることを抑制するハイブリッド車両の制御装置を提供することにある。
【０００９】
上記目的を達成するための本発明によるハイブリッド車両の制御装置は、蓄電装置に蓄電された電力を利用したモータによる駆動力と燃料タンクに貯蔵された燃料を利用したエンジンによる駆動力とによって走行するハイブリッド車両に適用されるものである。そして、本発明によるハイブリッド車両の制御装置は、前記モータ及び前記エンジンの作動を統括的に制御する制御手段を備える。
【００１０】
本発明によるハイブリッド車両の制御装置の特徴は、前記制御手段が、前記燃料タンクに貯蔵された燃料が劣化する時期までに前記エンジンによって消費されることなく劣化するであろう燃料の量を表す劣化量を予測し、前記劣化量が存在するとき、前記燃料が劣化する時期までに予定される前記ハイブリッド車両の走行に際して、前記ハイブリッド車両を走行させる駆動力における前記モータの駆動力に対する前記エンジンの駆動力の比を表す前記エンジンの利用比率を、少なくとも前記劣化量が存在しないときよりも大きくすることにある。尚、この場合、前記制御手段が、前記燃料タンクに貯蔵された燃料が劣化する時期までに前記エンジンによって消費されることなく劣化するであろう燃料の量を表す劣化量を予測する劣化量予測手段と、前記劣化量予測手段の予測による前記劣化量の存在に基づき劣化する燃料が存在するか否かを判定する劣化燃料存在判定手段と、前記劣化燃料存在判定手段による判定に基づいて前記劣化量が存在するとき、前記燃料が劣化する時期までに予定される前記ハイブリッド車両の走行に際して、前記ハイブリッド車両を走行させる駆動力における前記モータの駆動力に対する前記エンジンの駆動力の比を表す前記エンジンの利用比率を、少なくとも前記劣化量が存在しないときよりも大きくする利用比率変更手段とを備えることも可能である。
【００１１】
これによれば、燃料タンクに貯蔵されている燃料が劣化して劣化量が存在する状況が予測されると、制御手段は、ハイブリッド車両が走行するときにおけるエンジンの利用比率を大きくすることができる。これにより、エンジンによって劣化量に相当する燃料を、燃料が劣化してしまう前に計画的に消費することができる。従って、燃料タンクに貯蔵された燃料を無駄にすることを確実に抑制することができる。
【００１２】
この場合、前記制御手段は、前記ハイブリッド車両の利用状況に応じて変化する前記エンジンによって消費される燃料の量を表す消費量を用いて、前記劣化量を予測することができる。尚、この場合、前記制御手段の前記劣化量予測手段が、前記ハイブリッド車両の利用状況に応じて変化する前記エンジンによって消費される燃料の量を表す消費量を用いて、前記劣化量を予測することも可能である。そして、この場合、前記制御手段は、前記ハイブリッド車両が過去に走行した走行履歴及び前記ハイブリッド車両を利用する予定のうちの少なくとも一方に基づいて、前記燃料が劣化する時期までに前記ハイブリッド車両が走行する走行予定を決定することができる。
【００１３】
これらによれば、ハイブリッド車両の利用状況、言い換えれば、過去におけるハイブリッド車両の走行履歴や今後のハイブリッド車両の利用予定により決定される走行予定に基づいて、燃料が劣化する時期までにエンジンによって消費される燃料の消費量を予測して算出することができる。そして、この算出した消費量を用いて、すなわち、燃料タンク内に貯蔵されている燃料の貯蔵量（総量）から消費量を減ずることにより、劣化するであろう燃料の劣化量を予測することができる。これにより、より正確に劣化量を予測することができ、燃料の劣化時期が迫る前から適切にエンジンを作動させて計画的に劣化量に相当する燃料の量を消費することができて、燃料タンクに貯蔵された燃料を無駄にすることを確実に抑制することができる。
【００１４】
又、これらの場合、前記制御手段は、前記劣化量が存在するとき、前記燃料が劣化する時期までに前記ハイブリッド車両が走行する走行予定に合わせて、前記エンジンの利用比率が大きくなるように前記エンジンを利用する計画を決定することができる。尚、この場合、前記制御手段が、劣化燃料存在判定手段によって前記劣化量が存在すると判定されたとき、前記燃料が劣化する時期までに前記ハイブリッド車両が走行する走行予定に合わせて、前記エンジンの利用比率が大きくなるように前記エンジンを利用する計画を決定するエンジン利用計画決定手段を備えることが可能である。
【００１５】
そして、この場合、前記制御手段は、例えば、前記劣化量が存在するとき、前記燃料が劣化する時期までに前記ハイブリッド車両が走行する走行予定に合わせて、前記エンジンの利用比率が大きくなるように前記エンジンを利用する時期又は期間を決定することができる。尚、この場合、前記制御手段における前記エンジン利用計画決定手段が、前記劣化燃料存在判定手段による判定に基づいて前記劣化量が存在するとき、前記燃料が劣化する時期までに前記ハイブリッド車両が走行する走行予定に合わせて、前記エンジンの利用比率が大きくなるように前記エンジンを利用する時期又は期間を決定することが可能である。
【００１６】
これらによれば、燃料が劣化する時期までのハイブリッド車両の走行予定に合わせて、エンジンの利用比率が大きくなるようにエンジンを利用する計画を決定したり、エンジンを利用する時期や期間を決定することができる。ここで、エンジンを利用する時期としては、例えば、燃料タンクに貯蔵された燃料が早期に劣化しやすい夏場とすることができ、エンジンを利用する期間としては、例えば、冬の暖房が必要な期間等とすることができる。この場合、ハイブリッド車両の走行予定を、例えば、ハイブリッド車両を利用するドライバや乗員の行動（具体的には、習慣を含む）を分析して決定しておくことにより、より確実なハイブリッド車両の走行予定を決定することができ、その結果、確実にエンジンを作動させて劣化量に相当する燃料の量を消費することができる。従って、燃料タンクに貯蔵された燃料を無駄にすることを確実に抑制することができる。
【００１７】
又、これらの場合、前記制御手段は、少なくとも、前記燃料タンクの搭載された前記ハイブリッド車両の周辺環境に関連して検出される物理量（例えば、ハイブリッド車両の周辺における気温や湿度等）を用いて、前記燃料タンクに貯蔵された燃料が劣化する時期を予測することができる。尚、この場合、前記制御手段の劣化量予測手段が、更に、前記燃料タンクの搭載された前記ハイブリッド車両の周辺環境に関連して検出される物理量（例えば、ハイブリッド車両の周辺における気温等）を用いて、前記燃料タンクに貯蔵された燃料が劣化する時期を予測する劣化時期予測手段を備えることも可能である。
【００１８】
これによれば、周辺環境の変化に応じて変化する燃料の劣化状態を適切に反映して燃料が劣化する時期をより正確に予測することができる。これにより、例えば、高温となる夏場では燃料が速やかに劣化するために燃料が劣化する時期を給油時期から短く予測し、低温となる冬場では燃料が劣化する時期を給油時期から長く予測することができる。従って、劣化するであろう燃料の劣化量をより正確に予測することができ、その結果、実際に燃料が劣化してしまうまでに確実にかつ計画的に消費することができて燃料を無駄にすることを抑制することができる。
【００１９】
又、これらの場合、前記制御手段は、前記劣化量が存在するとき、前記モータの駆動力のみを利用して前記ハイブリッド車両を走行させる走行モードから、前記モータの駆動力及び前記エンジンの駆動力を利用して前記ハイブリッド車両を走行させる走行モード、又は、前記エンジンの駆動力のみを利用して前記ハイブリッド車両を走行させる走行モードに切り替えることができる。尚、この場合、前記制御手段は、前記劣化燃料存在判定手段による判定に基づいて前記劣化量が存在するとき、前記モータの駆動力のみを利用して前記ハイブリッド車両を走行させる走行モードから、前記モータの駆動力及び前記エンジンの駆動力を利用して前記ハイブリッド車両を走行させる走行モード、又は、前記エンジンの駆動力のみを利用して前記ハイブリッド車両を走行させる走行モードに切り替える走行モード切り替え手段を備えることも可能である。
【００２０】
これによれば、ハイブリッド車両において、燃料タンクに貯蔵されている燃料が劣化して劣化量が存在する状況が予測されると、制御手段は、主に蓄電装置に蓄電された電力を消費して走行する走行モードから、エンジンの利用比率が大きく燃料を積極的に消費する走行モードに切り替えることができる。これにより、劣化量に相当する燃料の量を適切に消費することができて燃料を無駄にすることを抑制することができる。
【００２１】
又、本発明によるハイブリッド車両の制御装置の他の特徴は、前記制御手段が、前記劣化量が存在し、前記燃料が劣化する時期までに前記ハイブリッド車両の走行が予定されないときは、前記エンジンの駆動力により前記モータを駆動させて電力を発電させ、この発電された電力を前記蓄電装置に充電することにもある。尚、この場合、前記制御手段は、前記劣化燃料存在判定手段による判定に基づいて前記劣化量が存在するときであって、前記燃料が劣化する時期までに前記ハイブリッド車両の走行が予定されないときは、前記エンジンの駆動力により前記モータを駆動させて電力を発電させ、この発電された電力を前記蓄電装置に充電する充電手段を備えることもできる。
【００２２】
この場合、前記制御手段は、前記蓄電装置が所定の充電量以上に充電されているときには、前記エンジンの駆動力により前記モータを駆動させて発電させた電力を、前記ハイブリッド車両の外部に供給することができる。尚、この場合、前記制御手段は、前記蓄電装置が所定の充電量以上に充電されているか否かを判定する充電量判定手段と、前記充電量判定手段によって前記蓄電装置が所定の充電量以上に充電されていると判定されたとき、前記エンジンの駆動力により前記モータを駆動させて発電させた電力を前記ハイブリッド車両の外部に供給する電力外部供給手段とを備えることも可能である。そして、これらの場合には、前記制御手段は、前記発電させた電力を、例えば、前記ハイブリッド車両を駐車している家屋に供給することができる。
【００２３】
これらによれば、燃料タンクに貯蔵されている燃料が劣化して劣化量が存在する状況が予測され、かつ、燃料が劣化する時期までハイブリッド車両の走行が予定されていない状況では、制御手段は、エンジンを作動させて得られる駆動力を用いてモータを駆動させ、このモータの駆動によって電力を発電させることができる。すなわち、制御手段は、燃料タンクに貯蔵されている燃料を消費させて発電させることにより、劣化するであろう燃料を電力に変換することができる。そして、発電された電力は、ハイブリッド車両に搭載された蓄電装置に充電されたり、外部（家屋）に供給されたりして、有効に利用することができる。従って、燃料タンクに貯蔵された燃料を無駄にすることを確実に抑制することができる。
【図面の簡単な説明】
【００２４】
【図１】本発明の実施形態に係るハイブリッド車両の概略的な機能ブロック図である。
【図２】図１の電力変換器に設けられる電源回路を説明するための概略的なブロック図である。
【図３】図１の制御装置の構成を概略的に示すブロック図である。
【図４】図１の制御装置（より詳しくは、図３の制御部）によって実行される燃料消費走行管理プログラムのフローチャートである。
【図５】（ａ）は劣化した燃料の劣化量が発生することを説明するための図であり、（ｂ）は、走行に伴ってエンジンを作動させて劣化量分の燃料を計画的に消費することを説明するための図である。
【図６】図１の制御装置（より詳しくは、図３の制御部）によって実行される燃料消費発電管理プログラムのフローチャートである。
【図７】エンジンを作動させて発電することに伴って劣化量分の燃料を計画的に消費することを説明するための図である。
【図８】本発明の変形例に係り、情報管理センタと複数のハイブリッド車両との通信を説明するための図である。
【図９】本発明の変形例に係り、図８の情報管理センタに設けられるサーバの構成を概略的に示すブロック図である。
【発明を実施するための形態】
【００２５】
以下、本発明の一実施形態に係るハイブリッド車両の制御装置（以下、単に、「本装置」とも称呼する。）について説明する。図１は、本実施形態に係り、本装置が搭載されるハイブリッド車両１０の概略的な構成を説明する機能ブロック図である。尚、ハイブリッド車両１０には、モータジェネレータ及びエンジンを備えたハイブリッド車両（ＨＶ）に加え、更に外部電源を用いて充電可能なプラグイン式ハイブリッド車両（ＰＨＶ）も含まれる。
【００２６】
ハイブリッド車両１０は、図１に示すように、エンジン１１と、動力分割機構１２と、モータジェネレータ１３，１４と、伝達ギア１５と、駆動軸１６と、車輪１７とを備えている。又、ハイブリッド車両１０は、蓄電装置１８（バッテリ）と、電力変換器１９と、燃料タンク２０と、燃料補給口２１と、充電器２２と、充電コネクタ２３とを備えている。
【００２７】
エンジン１１は、燃料タンク２０に貯留された炭化水素系燃料（具体的に、ガソリンや軽油、エタノール等であり、本実施形態においてはガソリンを用いる）を燃焼により消費して駆動力を出力する。そして、ハイブリッド車両１０においては、エンジン１１によって出力される駆動力（運動エネルギー）は、動力分割機構１２を介して、駆動軸１６（車輪１７）に駆動力を伝達する伝達ギア１５を駆動する。
【００２８】
動力分割機構１２は、エンジン１１、モータジェネレータ１３（１４）及び伝達ギア１５に結合されてこれらの間で動力を分配する。ここで、動力分割機構１２は、例えば、サンギア、プラネタリキャリア及びリングギアの３つの回転軸を有する遊星歯車を採用することができ、この３つの回転軸がエンジン１１、モータジェネレータ１３（１４）及び伝達ギア１５の回転軸にそれぞれ接続される。
【００２９】
モータジェネレータ１３，１４は、蓄電装置１８から電力が供給されるときは電動機として機能し、エンジン１１から駆動力（運動エネルギー）が伝達されるときは発電機として機能する三相同期型発電電動機である。具体的に、モータジェネレータ１３は、動力分割機構１２によって分割されたエンジン１１の駆動力（運動エネルギー）が伝達されて発電機として機能するとともに、エンジン１１の始動を行い得るスタータモータとしても機能する。モータジェネレータ１４は、駆動軸１６（車輪１７）に駆動力を伝達する伝達ギア１５を駆動する電動機（動力源）として機能する。尚、本実施形態においては、モータジェネレータ１３が発電機として機能し、モータジェネレータ１４が電動機として機能するように実施するが、モータジェネレータ１４が発電機として機能しモータジェネレータ１３が電動機として機能したり、或いは、モータジェネレータ１３，１４が共に発電機として機能し又電動機として機能したりするように実施可能であることは言うまでもない。
【００３０】
蓄電装置１８は、充電可能な直流電源であり、例えば、ニッケル水素やリチウムイオン等の二次電池により構成される。蓄電装置１８は、モータジェネレータ１４が所定の駆動力の発生時に、電力変換器１９へ電力を供給する。又、蓄電装置１８は、モータジェネレータ１３の発電時に、電力変換器１９から電力を受けて充電される。尚、蓄電装置１８としては、大容量のキャパシタも採用可能であり、モータジェネレータ１３，１４による発電電力や外部電源からの電力を一時的に蓄え、その蓄えた電力をモータジェネレータ１３，１４へ供給可能な電力バッファであれば如何なるものでも良い。
【００３１】
ここで、電力変換器１９は、図２に示す周知の電源回路２４を含んで構成される。電源回路２４は、蓄電装置１８側の平滑コンデンサ２４ａと、電圧変換器２４ｂと、昇圧側への平滑コンデンサ２４ｃと、インバータ回路２４ｄ，２４ｅとを備えている。これにより、電源回路２４は、図２に示すように、電力供給用コンセント２５から電力を、例えば、後述する家屋４０（具体的にはドライバの自宅等）に送電する（供給する）ときには、大容量の蓄電装置１８の直流電力を交流電力に変換し、モータジェネレータ１３，１４の中性点を利用して、電力供給コンセント２５から家屋４０に交流電力を送電する（供給する）機能を有する。又、ハイブリッド車両１０の走行による電力消費、或いは、家屋４０に電力を送電する（供給する）ことで蓄電装置１８の充電量（ＳＯＣ：State Of Charge）が不足してくるときには、エンジン１１を用いてモータジェネレータ１３（１４）を発電機として機能させ、蓄電装置１８を充電させる機能を有する。
【００３２】
燃料タンク２０は、燃料補給口２１から補給（給油）される燃料を貯蔵し、その貯蔵された燃料を図示を省略する燃料ポンプ等を利用してエンジンに供給する。ここで、燃料補給口２１には、少なくとも走行時には閉じられ、燃料の補給時に開けられる開閉蓋２１ａが設けられる。又、特に、ＰＨＶに設けられる充電器２２は、充電コネクタ２３を介して供給される外部電源からの電力（交流）を充電電力（直流）に変換して蓄電装置１８に出力する
【００３３】
又、ハイブリッド車両１０には、図１に示すように、制御装置３０が搭載される。制御装置３０は、図３に示すように、本装置の制御手段を構成する制御部３１を備えている。制御部３１は、ＣＰＵ、ＲＯＭ、ＲＡＭ等を主要構成部品とするマイクロコンピュータである電子制御ユニットと、ハードディスクや半導体メモリ等から構成されて後述するプログラムを含む各種プログラム及びデータ等を記憶する記憶ユニットとを含むものである。そして、制御部３１は、後述するプログラムを含む各種プログラムを実行することにより、ハイブリッド車両１０のエンジン１１の作動を制御する機能（エンジン制御機能）及びハイブリッド車両１０のモータジェネレータ１３，１４の作動を制御する機能（モータ制御機能）を発揮する。
【００３４】
又、制御部３１は、後に具体的に説明するように、燃料タンク２０に貯蔵された燃料（ガソリン）が劣化してしまう前に消費する燃料消費管理処理を実行するものである。このため、制御部３１には、図３に示すように、燃料情報取得部３２、エンジン使用情報取得部３３、残電池情報取得部３４、走行予定情報取得部３５、行動予測分析結果取得部３６及び車両環境情報取得部３７が通信可能に接続されている。
【００３５】
燃料情報取得部３２は、燃料タンク２０に貯蔵されている燃料の貯蔵量を表す燃料貯蔵量情報及び燃料タンク２０に燃料が給油（補給）された時期（例えば、年月日）を表す燃料給油時期情報を取得するものである。このため、燃料情報取得部３２は、具体的に、燃料タンク２０に設けられて貯蔵されている燃料の貯蔵量を検出する貯蔵量センサや燃料補給口２１に設けられた開閉蓋２１ａの開閉状態を検出する開閉センサを含んで構成される。これにより、燃料情報取得部３２は、例えば、貯蔵量センサによって検出された燃料タンク２０内の燃料の貯蔵量を燃料貯蔵量情報として取得して制御部３１に出力する。又、燃料情報取得部３２は、例えば、開閉センサによって検出された開閉蓋２１ａの開閉された時期、すなわち、燃料が給油（補給）された時期（年月日）を燃料供給時期情報として取得して制御部３１に出力する。
【００３６】
エンジン使用情報取得部３３は、エンジン１１の使用状況を表すエンジン使用情報を取得するものである。このため、エンジン使用情報取得部３３は、具体的に、燃料タンク２０から供給された燃料がエンジン１１のシリンダ内に噴射される噴射量を検出し、エンジン１１を使用した走行時におけるハイブリッド車両１０の燃料消費率（燃費）等を演算して検出する燃料消費量センサ（所謂、ＥＦＩセンサ）を含んで構成される。これにより、エンジン使用情報取得部３３は、例えば、燃料消費量センサによって検出された燃料の消費量すなわちエンジン１１を使用した走行における燃費をエンジン使用情報として取得して制御部３１に出力する。
【００３７】
残電池情報取得部３４は、蓄電装置１８に蓄電されている電力の残量、言い換えれば、蓄電装置１８に充電されている充電量（ＳＯＣ）を表す残電池情報を取得するものである。このため、残電池情報取得部３４は、具体的に、蓄電装置１８に設けられて、蓄電装置１８を構成する電池セルの蓄電量（充電量）を検出する充電量センサを含んで構成される。これにより、残電池情報取得部３４は、充電量センサによって検出された蓄電装置１８の充電量すなわち電池残量であるＳＯＣを残電池情報として取得して制御部３１に出力する。又、残電池情報取得部３４は、ハイブリッド車両１０がＰＨＶである場合には、充電器２２から、例えば、外部の商用電源を用いて蓄電装置１８を充電する充電スケジュールや充電パターンを分析した充電パターン分析結果を充電スケジュール情報として取得して制御部３１に出力する。
【００３８】
走行予定情報取得部３５は、ドライバによるハイブリッド車両１０の走行予定を表す走行予定情報を取得するものである。このため、走行予定情報取得部３５は、具体的に、乗員によって設定された目的地までの経路を探索し、この探索した経路をドライバに案内するナビゲーションユニットや、例えば、ナビゲーションユニットと通信可能とされて乗員が所持している携帯電話を含んで構成される。これにより、走行予定情報取得部３５は、ナビゲーションユニットに設定された（登録された）目的地や携帯電話に登録された車両利用スケジュールを走行予定情報として取得して制御部３１に出力する。
【００３９】
行動予測分析結果取得部３６は、乗員によるハイブリッド車両１０を利用した行動を予測して分析し、この分析した行動予測分析結果を取得するものである。このため、行動予測分析結果取得部３６は、具体的に、ナビゲーションユニットを含んで構成される。ここで、ナビゲーションユニットは、広く知られているように、ＧＰＳ(Global Positioning System)信号センサを備えており、ＧＰＳ信号センサによって検出されたＧＰＳ信号に基づきハイブリッド車両１０の現在位置を検出する。これにより、行動予測分析結果取得部３６は、ナビゲーションユニットから、乗員によって設定された（入力された）目的地を表す目的地情報、実際にハイブリッド車両１０が走行した経路を表す走行経路情報及び実際にハイブリッド車両１０が走行した日時を表す走行日時情報を走行履歴情報として取得する。そして、行動予測分析結果取得部３６は、走行履歴情報すなわち過去の行動パターンに基づき、ハイブリッド車両１０を利用した今後の乗員の行動パターンとして、ハイブリッド車両１０の利用頻度や、利用距離等を分析し、この分析した結果を行動予測分析結果として取得して制御部３１に出力する。
【００４０】
車両環境情報取得部３７は、ハイブリッド車両１０の周辺における環境（状況）を表す車両環境情報を取得するものである。このため、車両環境情報取得部３７は、具体的に、ハイブリッド車両１０の周辺における温度（気温）を検出する温度センサを含んで構成される。これにより、車両環境情報取得部３７は、温度センサによって検出されたハイブリッド車両１０周辺の気温、言い換えれば、燃料タンク２０に貯蔵されている燃料の周辺環境を車両環境情報として取得して制御部３１に出力する。
【００４１】
家屋４０は、後述するように、ハイブリッド車両１０によって発電され、電力供給コンセント２５を介して交流電力が供給されるようになっている。このため、家屋４０においては、ハイブリッド車両１０から供給される電力（電源）、又は、商用電源を用いて、家庭内で使用される各種電気機器、例えば、冷蔵庫、洗濯機、エアコン、テレビ、照明等の家電を作動させることができる。尚、家屋４０においては、ハイブリッド車両１０から供給される電力や商用電源を一時的に蓄電しておくための蓄電装置を設けておくことも可能である。又、家屋４０においては、特に、ハイブリッド車両１０がＰＨＶである場合には、商用電源を用いて蓄電装置１８を充電することができるようになっている。この場合、ハイブリッド車両１０のドライバは、例えば、安価な商用電源である夜間電力を利用する等の充電パターンを含む充電スケジュールに従って、蓄電装置１８を充電することができる。
【００４２】
次に、上記のように構成される制御装置３０の作動を詳細に説明する。制御装置３０においては、制御部３１（より詳しくは、電子制御ユニット）が、図４に示す燃料消費走行管理プログラム又は／及び図６に示す燃料消費発電管理プログラムを実行する。以下、ます、図４を用いて、燃料消費走行管理プログラムから具体的に説明する。
【００４３】
制御部３１は、所定の頻度により、例えば、燃料タンク２０に燃料が給油（補給）されるごとに、図４に示す燃料消費管理プログラムをステップＳ１０にて開始し、続くステップＳ１１にて、各種情報を取得する。具体的に、制御部３１は、燃料情報取得部３２から燃料貯蔵量情報（ガソリン残量）及び燃料給油時期情報（ガソリン給油時期）を取得し、エンジン使用情報取得部３３からエンジン使用情報（燃費）を取得する。又、制御部３１は、残電池情報取得部３４から残電池情報（電池残量（ＳＯＣ））及び充電スケジュール情報（充電スケジュールや充電パターン分析結果）を取得する。又、制御部３１は、走行予定情報取得部３５から走行予定情報（車両利用スケジュール）を取得し、行動予測分析結果取得部３６から行動予測分析結果（ハイブリッド車両１０の利用頻度や利用距離等）を取得する。更に、制御部３１は、車両環境情報取得部３７から車両環境情報（気温）を取得する。このように、制御部３１は、各種情報を取得するとステップＳ１２に進む。
【００４４】
ステップＳ１２においては、制御部３１は、燃料（ガソリン）の劣化量Ｐを算出する。以下、この劣化量Ｐの算出を具体的に説明する。
【００４５】
一般に、燃料であるガソリンは、長期間に渡り使用されずに放置されたり、極端な温度環境下に置かれると、酸化が進行して品質が劣化すると言われている。そして、このような品質の劣化が生じる時間的な長さは、例えば、温度環境によって変化し、一般に早い場合で１ヶ月〜６ヶ月程度と言われている。従って、給油された燃料（ガソリン）が燃料タンク２０に放置される期間が、例えば、温度環境が厳しくなる夏場に１ヶ月以上放置されると、品質の劣化が生じている可能性が高くなる。
【００４６】
このため、制御部３１は、前記ステップＳ１１にて取得した各種情報のうち、まず、車両環境情報（気温）に基づき、燃料（ガソリン）が劣化する時期を予測する（以下、この予測される時期を「劣化予測時期」と称呼する。）。すなわち、制御部３１は、車両環境情報（気温）に基づき、夏場においてハイブリッド車両１０の周辺の気温が高くなる場合には劣化予測時期を短く予測し、冬場においてハイブリッド車両１０の周辺の気温が低くなる場合には劣化予測時期を長く予測する。そして、制御部３１は、前記ステップＳ１１にて取得した各種情報のうち、燃料貯蔵量情報（ガソリン残量）及び燃料給油時期情報（ガソリン給油時期）に基づき、ガソリン給油時期におけるガソリン残量を特定し、図５に示すように、ガソリン給油時期を基準として上述した劣化予測時期を特定する。
【００４７】
続いて、制御部３１は、前記ステップＳ１１にて取得したエンジン使用情報（燃費）、走行予定情報（車両利用スケジュール）、行動予測分析結果（ハイブリッド車両１０の利用頻度や利用距離等）及び残電池情報（電池残量（ＳＯＣ））に基づいて、まず、燃料タンク２０内の燃料（ガソリン）が劣化するか否かにかかわらず、給油時期から劣化予測時期までの間で、通常通り、モータジェネレータ１４の駆動力のみを利用した走行モード（ＥＶ走行モード）、又は、モータジェネレータ１４の駆動力及びエンジン１１の駆動力を利用した走行モード（ＨＶ走行モード）によりハイブリッド車両１０を走行させる状況を想定する。そして、制御部３１は、このように通常通りにドライバがハイブリッド車両１０を走行させた場合において、劣化予測時期が経過する時点で燃料タンク２０内に貯蔵されている燃料（ガソリン）が劣化する燃料（ガソリン）であり、その量を劣化量Ｐとして算出する。以下、このことを図５（ａ）に従って具体的に説明するが、理解を容易とするために、燃料タンク２０が一度の給油時期に一時に満タンにされる場合を例示して説明する。
【００４８】
今、図５（ａ）に示すように、あるドライバが、例えば、平日は通勤にハイブリッド車両１０を利用し、休日も外出にハイブリッド車両１０を利用する場合を例に挙げてみる。この例においては、図５（ａ）に示すように、通勤時には、ハイブリッド車両１０をＨＶ走行モード（電気とガソリンＧ１，Ｇ２，Ｇ３を消費する）により走行させ、休日には、ハイブリッド車両１０をＥＶ走行モード（電気のみを消費する）により走行させるとする。尚、燃料（ガソリン）の消費量Ｇ１，Ｇ２，Ｇ３は、例えば、通勤時におけるハイブリッド車両１０の利用距離と燃費とから算出される。このようなハイブリッド車両１０の利用状況では、図５（ａ）に示すように、給油時期にて給油されて燃料タンク２０内に貯蔵されている燃料（ガソリン）は、劣化予測時期を経過する時点で（Ｇ−Ｇ１−Ｇ２−Ｇ３）だけ消費されずに残ることが予測され、この消費されない燃料（ガソリン）が劣化すると予測される。すなわち、劣化量Ｐは、図５（ａ）に示すように、貯蔵量Ｐ（総量）から消費量Ｇ１，Ｇ２，Ｇ３を減じることにより、Ｐ＝Ｇ−Ｇ１−Ｇ２−Ｇ３となる。このように、劣化量Ｐを算出すると、制御部３１はステップＳ１３に進む。
【００４９】
ステップＳ１３においては、制御部３１は、前記ステップＳ１２にて算出した劣化量Ｐが予め設定された所定量Ｐ０以上であるか否かを判定する。尚、所定量Ｐ０は「０」以上の任意の量に設定される。そして、制御部３１は、劣化量Ｐが所定量Ｐ０以上である、言い換えれば、劣化するであろう燃料（ガソリン）が存在するときには、「Ｙｅｓ」と判定してステップＳ１４に進む。一方、劣化量Ｐが所定量Ｐ０未満である、言い換えれば、劣化する燃料（ガソリン）が少ない又は存在しない、或いは、再度給油が必要であるときには、燃料タンク２０内の燃料（ガソリン）が適切に消費されているために「Ｎｏ」と判定してステップＳ１５に進み、燃料消費走行管理プログラムの実行を終了する。
【００５０】
ステップＳ１４においては、制御部３１は、劣化するであろう燃料（ガソリン）の劣化量Ｐを、燃料（ガソリン）が実際に劣化してしまう前に消費すべく、優先的にエンジン１１を使用する、すなわち、優先的にＨＶ走行モード、或いは、エンジン１１の駆動力のみを利用した走行モード（エンジン走行モード）によりハイブリッド車両１０を走行させて燃料（ガソリン）を計画的にに消費する。以下、このことを図５（ｂ）を用いて具体的に説明する。
【００５１】
上述したように、劣化量Ｐを生じさせるハイブリッド車両１０の利用状況では、図５（ａ）に示したように、ＥＶ走行モードによりハイブリッド車両１０を走行させたり、ＨＶ走行モードであっても走行に必要な駆動力におけるモータジェネレータ１４の利用比率が大きい、すなわち、エンジン１１の利用比率が小さくて燃料（ガソリン）の消費量が少ないＨＶ走行モードによりハイブリッド車両１０を走行させている。このため、制御部３１は、劣化量Ｐを計画的に消費するために、今後、予定されているハイブリッド車両１０の走行に際しては、劣化するであろう燃料（ガソリン）が存在しない場合に比して、エンジン１１の利用比率が大きくなるように、エンジン１１の利用を計画する。
【００５２】
具体的に、制御部３１は、図５（ｂ）に示すように、劣化量Ｐを適宜の大きさ（又は等分）となるようにＧ１’，Ｇ２’，Ｇ３’に分割する。そして、制御部３１は、原則として、ＥＶ走行モードによる走行を禁止し、例えば、分割された消費量Ｇ１’を消費するＨＶ走行モードによる走行に切り替えてハイブリッド車両１０を走行させる。又、制御部３１は、既にＨＶ走行モードによる走行が予定されているときには、エンジン１１の利用比率をより大きくする、言い換えれば、モータジェネレータ１４の利用比率が小さくなるように消費量Ｇ２’を消費するＨＶ走行モードによりハイブリッド車両１０を走行させる。更には、制御部３１は、消費量Ｇ３’を消費させるために、ＨＶ走行モードにおけるモータジェネレータ１４を利用することなくエンジン１１のみを利用するエンジン走行モードによりハイブリッド車両１０を走行させる。このように、燃料タンク２０内に貯蔵されている燃料（ガソリン）が劣化予想時期までに消費されるように、今後のハイブリッド車両１０の走行予定に合わせてエンジン１１の利用を計画することにより、燃料タンク２０内の燃料（ガソリン）を計画的に消費することができて、燃料（ガソリン）を無駄にすることを効果的に防止することができる。
【００５３】
尚、この場合、制御部３１が、エンジン１１の利用を計画して自動的にハイブリッド車両１０の走行モードをエンジン１１の利用を優先する走行モードに切り替えることに代えて、又、加えて、ドライバに対してエンジン１１の利用比率を大きくしてハイブリッド車両１０を運転するように促すことも可能である。すなわち、詳細な説明を省略するが、ハイブリッド車両１０には、ドライバがＥＶ走行モード、ＨＶ走行モード、或いは、エンジン走行モードのいずれかを選択するセレクタ（切り替えスイッチ）が搭載されている場合がある。このようなハイブリッド車両１０では、例えば、車載モニターやメータクラスタ内の表示部を利用して、制御部３１が燃料（ガソリン）の劣化が予測されることをドライバや乗員に報知したり、燃料（ガソリン）を積極的に消費するようにＨＶ走行モード又はエンジン走行モードを選択することを促すことにより、ドライバが今後ハイブリッド車両をＨＶ走行モード又はエンジン走行モードにより走行させることが可能となる。これにより、燃料タンク２０内の燃料（ガソリン）を計画的に消費することができて、燃料（ガソリン）を無駄にすることを効果的に防止することができる。
【００５４】
このように、エンジン１１の利用比率が大きくなるＨＶ走行モード又はエンジン走行モードへの切り替え、すなわち、今後のハイブリッド車両１０の走行におけるエンジン１１の利用を計画すると、制御部３１はステップＳ１５に進む。そして、制御部３１は、ステップＳ１５にて、燃料消費走行管理プログラムの実行を終了する。
【００５５】
次に、図６を用いて、燃料消費発電管理プログラムを具体的に説明する。尚、この燃料消費発電管理プログラムにおけるステップＳ２１からステップＳ２３の各ステップ処理は、上述した燃料消費走行管理プログラムにおけるステップＳ１１からステップＳ１３の各ステップ処理を同一である。従って、以下においては、これらステップＳ２１からステップＳ２３の各ステップ処理を簡単に説明する。
【００５６】
制御部３１は、所定の頻度により、図６に示す燃料消費発電管理プログラムをステップＳ２０にて開始する。そして、制御部３１は、続くステップＳ２１にて、燃料情報取得部３２から燃料貯蔵量情報（ガソリン残量）及び燃料給油時期情報（ガソリン給油時期）を取得し、エンジン使用情報取得部３３からエンジン使用情報（燃費）を取得し、残電池情報取得部３４から残電池情報（電池残量（ＳＯＣ））及び充電スケジュール情報（充電スケジュールや充電パターン分析結果）を取得し、走行予定情報取得部３５から走行予定情報（車両利用スケジュール）を取得し、行動予測分析結果取得部３６から行動予測分析結果（ハイブリッド車両１０の利用頻度や利用距離等）を取得し、車両環境情報取得部３７から車両環境情報（気温）を取得する。このように、制御部３１は、各種情報を取得するとステップＳ２２に進む。
【００５７】
ステップＳ２２においては、制御部３１は、上述した燃料消費走行管理プログラムにおけるステップＳ１２と全く同様に、燃料タンク２０内に貯蔵されている燃料（ガソリン）のうち、ハイブリッド車両１０の走行により消費されることなく劣化予測時期を経過してしまう劣化量Ｐを算出する。そして、制御部３１は、劣化量Ｐを算出すると、ステップＳ２３に進む。
【００５８】
ステップＳ２３においては、制御部３１は、前記ステップＳ２２にて算出した劣化量Ｐが所定量Ｐ０以上であるか否かを判定する。尚、この燃料消費発電管理プログラムにおいても、所定量Ｐ０は「０」以上の任意の量に設定される。そして、制御部３１は、劣化量Ｐが所定量Ｐ０以上である、言い換えれば、劣化するであろう燃料（ガソリン）が存在するときには、「Ｙｅｓ」と判定してステップＳ２４に進む。一方、劣化量Ｐが所定量Ｐ０未満である、言い換えれば、劣化する燃料（ガソリン）が少ない又は存在しない、或いは、再度給油が必要あるときには、「Ｎｏ」と判定してステップＳ２９に進み、燃料消費発電管理プログラムの実行を終了する。
【００５９】
ステップＳ２４においては、制御部３１は、前記ステップＳ２１にて取得した各種情報のうち、走行予定情報（車両利用スケジュール）及び／又は行動予測分析結果（ハイブリッド車両１０の利用頻度や利用距離等）に基づき、燃料（ガソリン）の給油時期から劣化予測時期までの間にハイブリッド車両１０が利用されるか否かを判定する。すなわち、制御部３１は、給油時期から劣化予測時期までの間にドライバや乗員によってハイブリッド車両１０が利用されない、より詳しくは、ハイブリッド車両１０が走行しないときには「Ｙｅｓ」と判定してステップＳ２５に進む。一方、給油時期から劣化予測時期までの間にドライバや乗員によってハイブリッド車両１０が利用されるときには、制御部３１は「Ｎｏ」と判定してステップＳ２９に進み、燃料消費発電管理プログラムの実行を終了する。尚、この場合には、ドライバや乗員によってハイブリッド車両１０が利用される（走行する）ため、制御部３１は、例えば、上述した燃料消費走行管理プログラムの実行により劣化するであろう燃料（ガソリン）の劣化量Ｐを計画的に消費する。
【００６０】
ステップＳ２５においては、制御部３１は、エンジン１１を作動させた駆動力によりモータジェネレータ１３を駆動させることにより、劣化するであろう燃料（ガソリン）の劣化量Ｐを消費して電力に変換する。以下、このことを図７を用いて具体的に説明する。
【００６１】
上述したように、ハイブリッド車両１０が利用されるすなわちドライバがハイブリッド車両１０を走行させる状況では、原則として、図５（ｂ）と同様に図７にも示すように、ＥＶ走行モードからＨＶ走行モードに切り替えて走行させ、既にＨＶ走行モードによる走行が予定されているときにはエンジン１１の利用比率が大きくなるＨＶ走行モードによりハイブリッド車両１０を走行させる。しかし、ハイブリッド車両１０が走行しない状況では、図７に示すように、走行に伴ってエンジン１１を走行させて燃料（ガソリン）を消費することができず、劣化するであろう燃料（ガソリン）の劣化量Ｐが無駄となる可能性が高い。このため、制御部３１は、ハイブリッド車両１０が適切に駐車されていることを条件として、エンジン１１を作動させてモータジェネレータ１３を駆動し、劣化量Ｐ分を消費して電力に変換する。すなわち、劣化するであろう燃料（ガソリン）を発電に利用する。尚、ハイブリッド車両１０が適正に駐車状態にあるか否かは、周知の判定条件を採用することができ、例えば、マニュアルトランスミッションのギアがニュートラルであることや、オートマチックトランスミッションのシフトポジションがパーキングであること、パーキングブレーキが作動中であること等の条件を挙げることができる。
【００６２】
このように、制御部３１は、エンジン１１の駆動力によりモータジェネレータ１３を駆動させて電力を発電する、或いは、電力の発電を開始すると、ステップＳ２６に進む。尚、このようにエンジン１１を作動させて発電する状況は、例えば、ドライバや乗員がハイブリッド車両１０を利用する際や、その他、予め設定された終了条件が成立することによって終了することは言うまでもない。
【００６３】
ステップＳ２６においては、制御部３１は、前記ステップＳ２１にて取得した残電池情報（電池残量（ＳＯＣ））及び充電スケジュール情報（充電スケジュールや充電パターン分析結果）に基づき、現在又は今後の蓄電装置１８の電池残量であるＳＯＣが予め設定された所定のＳＯＣ０以下となっている（或いは、所定のＳＯＣ０以下となる）か否かを判定する。すなわち、制御部３１は、蓄電装置１８のＳＯＣが所定のＳＯＣ０以下であれば、「Ｙｅｓ」と判定してステップＳ２７に進む。一方、蓄電装置１８のＳＯＣが所定のＳＯＣ０よりも大きければ、制御部３１は「Ｎｏ」と判定してステップＳ２８に進む。
【００６４】
ステップＳ２７においては、制御部３１は、エンジン１１の駆動力により駆動されたモータジェネレータ１３が発電した電力、すなわち、劣化するであろう燃料（ガソリン）を消費して発電した（変換した）電力を蓄電装置１８に充電する。この場合、制御部３１は、電力変換器１９における電源回路２４を介してモータジェネレータ１３からの電力を蓄電装置１８に供給する。これにより、制御部３１は、例えば、ＳＯＣが所定のＳＯＣ０よりも大きくなるまで、蓄電装置１８にモータジェネレータ１３によって発電された電力を供給して充電する。これにより、ハイブリッド車両１０においては、蓄電装置１８に充電された電力を有効に利用して走行することができる。
【００６５】
ステップＳ２８においては、制御部３１は、エンジン１１の駆動力により駆動されたモータジェネレータ１３が発電した電力、すなわち、劣化するであろう燃料（ガソリン）を消費して発電した（変換した）電力を家屋４０に供給する（送電する）。この場合、制御部３１は、例えば、前記ステップＳ２７にて所定のＳＯＣ０よりも大きくなるように充電された蓄電装置１８の電力を、電源回路２４を介することによって直流電力を交流電力に変換する。そして、制御部３１は、例えば、家屋４０に引き込まれている送電線を介して、モータジェネレータ１３，１４の中性点を利用して電力供給用コンセント２５から家屋４０に交流電力を供給（送電）する。これにより、家屋４０においては、ハイブリッド車両１０側から供給された交流電力を有効に利用して各種電気機器を作動させることができる。
【００６６】
このように、前記ステップＳ２７のステップ処理又は前記ステップＳ２８のステップ処理を実行すると、制御部３１は、ステップＳ２９に進む。そして、制御部３１は、ステップＳ２９にて、燃料消費発電管理プログラムの実行を終了する。
【００６７】
以上の説明からも理解できるように、上記実施形態によれば、ハイブリッド車両１０の燃料タンク２０に貯蔵された燃料（ガソリン）が劣化してしまう劣化予測時期を予測し、この劣化予測時期までに消費されずに燃料タンク２０内で劣化する可能性が極めて高い燃料（ガソリン）の劣化量Ｐを、ドライバや乗員のハイブリッド車両１０の利用状況から予測して算出することができる。そして、このように予測して算出される劣化量Ｐを劣化予測時期が経過するまでに計画的に消費すべく、予定されるハイブリッド車両１０の走行に際してＥＶ走行モードからＨＶ走行モード又はエンジン走行モードに変更し、利用比率を大きくしてエンジン１１を利用する計画を決定することができる。又、ハイブリッド車両の走行が予定されないときには、エンジン１１の駆動力によりモータジェネレータ１３を駆動させ、劣化するであろう燃料（ガソリン）を消費して電力を発電することができる。
【００６８】
これにより、適切に燃料タンク２０に貯蔵された燃料（ガソリン）を劣化予測時期までに計画的に消費することができる。従って、燃料タンク２０に貯蔵された燃料（ガソリン）を無駄にすることを効果的に防止することができる。又、劣化するまでに燃料（ガソリン）を消費することができるため、例えば、燃料（ガソリン）が劣化することによりハイブリッド車両１０に与える悪影響を未然に防止することもできる。
【００６９】
＜変形例＞
上記実施形態においては、ハイブリッド車両１０に搭載された制御装置３０の行動予測分析結果取得部３６が、走行履歴情報に基づき、ハイブリッド車両１０を利用した今後の乗員の行動パターンとしてハイブリッド車両１０の利用頻度や利用距離等を分析し、この分析した結果を行動予測分析結果として制御部３１に出力するように実施した。そして、制御装置３０の制御部３１は、この行動予測の分析、すなわち、ハイブリッド車両１０の利用頻度及び利用距離等と走行予定情報である車両利用スケジュールとに基づいて、劣化するであろう燃料を消費するためのエンジン１１の利用計画を決定し、この決定した利用計画に従ってエンジン１１を作動させて燃料タンク２０に貯蔵されている燃料を消費するように実施した。この場合、図８に概略的に示すように、ハイブリッド車両１０と通信可能に設けられた情報管理センタ５０を設け、この情報管理センタ５０が乗員によるハイブリッド車両１０を利用した行動を予測するように実施することも可能である。
【００７０】
この変形例における制御装置３０は、図３にて破線により示すように、情報管理センタ５０と通信するための外部通信部３８を備えている。外部通信部３８は、例えば、インターネット回線網や携帯電話回線網等の外部に構築されたネットワークＮに接続し、同ネットワークＮ上に設けられた情報管理センタ５０との通信を実現するための通信インターフェースである。
【００７１】
情報管理センタ５０は、図８に示すように、複数のハイブリッド車両１０から走行履歴情報を取得し、この走行履歴情報に基づいて乗員によるハイブリッド車両１０を利用した行動を予測する施設である。このため、情報管理センタ５０には、図９に示すように、マイクロコンピュータを主要構成部品とするサーバ５１が設けられている。
【００７２】
サーバ５１は、ネットワークＮと接続して通信を制御する通信制御部５２と、それぞれのハイブリッド車両１０を識別するための車両識別情報を管理する車両識別情報管理部５３と、車両識別情報のデータベースを記憶する車両識別情報記憶部５４とを備えている。車両識別情報記憶部５４は、ハイブリッド車両１０を識別して特定するために、予め割り当てられた車両ＩＤ情報を検索可能に記憶するとともに、サーバ５１が制御装置３０の外部通信部３８を介して制御部３１と相互に通信するためのアカウント情報（例えば、ユーザ名、アカウント名、アクセスパスワード等）を車両ＩＤ情報と関連付け、車両識別情報として検索可能に記憶している。これにより、サーバ５１がハイブリッド車両１０に搭載された制御装置３０の制御部３１からアカウント情報を取得すると、車両識別情報管理部５３が車両識別情報記憶部５４を検索して車両識別情報を取得し、ハイブリッド車両１０を特定（認証）するようになっている。
【００７３】
又、サーバ５１は、それぞれのハイブリッド車両１０から送信されて、同車両１０が実際に走行した走行履歴を表す走行履歴情報を車両識別情報と関連付けて蓄積して記憶する走行履歴情報記憶部５５を備えている。これにより、サーバ５１がハイブリッド車両１０に搭載された制御装置３０の制御部３１から、例えば、アカウント情報とともに走行履歴情報を取得すると、走行履歴情報記憶部５５は、車両識別情報管理部５３と協働してアカウント情報に対応する車両識別情報を取得し、走行履歴情報と関連付けて検索可能に記憶する。
【００７４】
そして、制御装置３０の制御部３１から、例えば、ハイブリッド車両１０を利用した乗員の行動予測分析結果の提供を要求する要求情報がアカウント情報とともに送信されると、サーバ５１は、受信したアカウント情報に基づいて車両識別情報管理部５３から車両識別情報を取得する。そして、サーバ５１は、取得した車両識別情報を用いて走行履歴情報記憶部５５から該当するハイブリッド車両１０の走行履歴情報を取得し、取得した走行履歴情報に基づいて今後（より具体的には、燃料（ガソリン）が劣化してしまうまでの劣化予測期間まで）の乗員のハイブリッド車両１０を利用した行動を予測し、この予測した行動からハイブリッド車両１０の利用頻度及び利用距離等を行動予測分析結果として制御装置３０に送信する。
【００７５】
これにより、制御装置３０の制御部３１は、上記実施形態と同様に、図４に示した燃費消費走行管理プログラム又は図６に示した燃料消費発電管理プログラムを実行する。従って、この変形例によれば、制御装置３０の制御部３１は、外部の情報管理センタ５０と協働して行動予測分析結果を取得することができ、この行動予測分析結果を用いて上記実施形態と同様に、燃料タンク２０に貯蔵された燃料（ガソリン）が劣化してしまうまでに計画的に消費することができて、燃料（ガソリン）を無駄にすることを効果的に防止することができる。又、この変形例によれば、制御装置３０に行動予測分析結果取得部３６を設ける必要がない。このため、ハイブリッド車両１０側で走行履歴情報を記憶する必要がないため、別途設けられる記憶装置の記憶容量を抑制することができ、例えば、制御装置３０の製造コストを低減することができる。
【００７６】
本発明の実施にあたっては、上記実施形態及び変形例に限定されるものではなく、本発明の目的を逸脱しない限りにおいて、種々の変更が可能である。
【００７７】
例えば、上記実施形態及び変形例においては、劣化するであろう燃料（ガソリン）の劣化量Ｐが所定量Ｐ０以上存在するときに、エンジン１１を作動させて積極的に燃料（ガソリン）を使用する計画を決定し、この決定した計画に従って燃料（ガソリン）を消費することにより劣化した燃料（ガソリン）が生じることを防止するようにした。この場合、エンジン１１を作動させる、言い換えれば、エンジン１１を使用する計画を決定することに加えて、又は、代えて、例えば、ハイブリッド車両１０を走行させる際のＨＶ走行モードによる走行頻度を高めてエンジン１１の利用比率を全体的に高めることが可能である。又、例えば、燃料タンク２０に貯蔵された燃料（ガソリン）が劣化しやすい夏場の時期や、冬の暖房が必要となる期間においては、優先的にＨＶ走行モードによってエンジン１１を作動させて積極的に燃料（ガソリン）を使用することも可能である。これにより、長期間に渡り燃料タンク２０内に貯蔵されて使用されずに劣化する燃料（ガソリン）を確実に低減することができ、燃料（ガソリン）を無駄にすることを防止することができる。
【００７８】
更に、上記変形例においては、制御装置３０に外部通信部３８を設けて、外部の情報管理センタ５０と通信し、同センタ５０から行動予測分析結果を取得するように実施した。この場合、例えば、ハイブリッド車両１０のドライバや乗員が所持するスマートフォン等の携帯電話を利用して外部の情報管理センタ５０と通信し、同センタ５０から乗員行動予測分析結果を取得するように実施可能であることは言うまでもない。この場合には、制御装置３０と携帯電話とを互いに無線通信により接続することが好ましく、所謂、ペアリング処理しておくことが好ましい。これにより、ハイブリッド車両１０側に外部との通信に利用される外部通信部３８を設けておく必要がなく、例えば、制御装置３０の製造コストを低減することができる。又、予めペアリング処理しておくことにより、ドライバや乗員がハイブリッド車両１０に乗車する度に煩わしい接続操作を行う必要がなく、極めて容易に情報管理センタ５０から行動予測分析結果を取得することができる。
【符号の説明】
【００７９】
１０…ハイブリッド車両、１１…エンジン、１２…動力分割機構、１３，１４…モータジェネレータ、１８…蓄電装置、１９…電力変換器、２０…燃料タンク、２４…電源回路、３０…制御装置
【図１】
2014091467.tif 000003
【図２】
2014091467.tif 000004
【図３】
2014091467.tif 000005
【図４】
2014091467.tif 000006
【図５】
2014091467.tif 000007
【図６】
2014091467.tif 000008
【図７】
2014091467.tif 000009
【図８】
2014091467.tif 000010
【図９】
2014091467.tif 000011